(57)【要約】【課題】本発明は、軸着手段を構成する揺動軸を受部材に線接触状に磁着して軸支せしめ、揺動時における摩擦抵抗を少くしてスム−ズに振動作動を行うことが出来る、振子式表示装置を提供する。【解決手段】【０００７】フレ−ム１ａ・１ｂに軸着手段を介して振子体７ａ・７ｂが揺動自在に軸着され、該振子体７ａ・７ｂには表示体１２が取付け自在とされると共に、同下端部には永久磁石９が取付けられ、該永久磁石９に対向すべくフレ−ム１ａ・１ｂに駆動コイル３が配設され、該駆動コイル３に通電して励磁せしめつつ永久磁石９との電磁力により振子体７ａ・７ｂを揺動せしめるべく構成されてなる振子式表示装置であって、上記軸着手段は振子体７ａ・７ｂに止着された強磁性揺動軸８ａ・８ｂ・８ｃと、該揺動軸８ａ・８ｂ・８ｃを線接触状に磁着して軸支せしめるべくフレ−ム１ａ・１ｂに配設された永久磁石製受部材５ａ・５ｂ・５ｃとより構成されている。【選択図】図１
2012234055.tif 000002
【特許請求の範囲】
【請求項１】
所要のフレ−ムに軸着手段を介して振子体が揺動自在に軸着され、該振子体には表示体
が取付け自在とされると共に、同下端部には永久磁石が取付けられ、該永久磁石に対向す
べくフレ−ムに駆動コイルが通電自在に配設され、該駆動コイルに通電して励磁せしめつ
つ永久磁石との電磁力により振子体を揺動せしめるべく構成されてなる振子式表示装置に
おいて、上記軸着手段は振子体に止着された強磁性揺動軸と、該揺動軸を線接触状に磁着
して軸支せしめるべくフレ−ムに配設された永久磁石製受部材とより構成されてなること
を特徴とする、振子式表示装置。
【請求項２】
揺動軸は受部材下面に線接触状に磁着して吊下げ状に軸支されてなることを特徴とする
、請求項１記載の振子式表示装置。  
【請求項３】
揺動軸は受部材上面に線接触状に磁着して軸支されてなることを特徴とする、請求項１
記載の振子式表示装置。
【発明の詳細な説明】
【技術分野】
【０００１】
本発明は、広告体やディスプレイ、あるいは玩具などに用いられる振子式表示装置に関
する。
【背景技術】
【０００２】
従来より、この種の振子式表示装置としては、所要のフレ−ムに軸支孔と揺動軸とより
なる軸着手段を介して振子体が揺動自在に軸着され、該振子体には所要の表示体が取付け
自在とされると共に、同下端部には永久磁石が取付けら、該永久磁石に対向すべくフレ−
ムには駆動コイルが通電自在に配設されたものが知られている（特開２００６−７１８８
５号公報、特開２００８−１８０７５５号公報参照）。
【０００３】
そして、上述のごとく構成された振子式表示装置は、振子体に所要の表示体を取付けた
のち、駆動コイルに通電して励磁せしめつつ、永久磁石との電磁力により軸着する振子体
を所定の振幅でもって慣性的に揺動作動せしめ、これに連動して表示体を同期に揺動せし
めるものとされている。
【先行技術文献】
【特許文献】
【０００４】
【特許文献１】特開２００６−７１８８５号公報
【特許文献２】特開２００８−１８０７５５号公報
【発明の概要】
【発明が解決しようとする課題】
【０００５】
ところで、上述のごとく構成された従来の振子式表示装置は、表示体を確実に所定の振幅でもって同期等速に揺動せしめ、表示機能を有効に発揮せしめることが出来るものである。
しかしながら、かかる従来の振子式表示装置は、その振子体を軸支孔と揺動軸とよりな
る軸着手段でもって揺動自在に軸支するものであるから、揺動軸は常に軸支孔の内周面に
対して面接触状に接触せしめるものとなり、ひいては、揺動時における摩擦抵抗が大とな
ってスム−ズな揺動作動がしずらいのみならず、構造が複雑となり、その製作が面倒で手
間がかかるものとなっていた。
【０００６】
本発明は、上記従来例の課題を解決しようとするもので、軸着手段を構成する揺動軸を
受部材に線接触状に磁着して軸支せしめ、常に揺動時における摩擦抵抗を少くしてスム−
ズに振動作動を行うことが出来るのみならず、構造が簡単で容易に製作することが出来る
、振子式表示装置を提供するにある。
【課題を解決するための手段】
【０００７】
上記の目的を達成するため、請求項１記載の発明は、所要のフレ−ムに軸着手段を介し
て振子体が揺動自在に軸着され、該振子体には表示体が取付け自在とされると共に、同下
端部には永久磁石が取付けられ、該永久磁石に対向すべくフレ−ムに駆動コイルが通電自
在に配設され、該駆動コイルに通電して励磁せしめつつ永久磁石との電磁力により振子体
を揺動せしめるべく構成されてなる振子式表示装置において、上記軸着手段は振子体に止
着された強磁性揺動軸と、該揺動軸を線接触状に磁着して軸支せしめるべくフレ−ムに配
設された永久磁石製受部材とより構成されてなることを特徴とする、振子式表示装置を要
旨とするものである。  
【０００８】
そして、上記請求項１記載の振子式表示装置において、揺動軸は受部材下面に線接触状
に磁着して吊下げ状に軸支され、また、揺動軸は受部材上面に線接触状に磁着して軸支さ
れている。
【発明の効果】
【０００９】
本発明による振子式表示装置は、上述のように構成されているから、軸着手段を構成す
る強磁性揺動軸を永久磁石製受部材に線接触状に磁着して軸支せしめることが出来るもの
であって、ひいては、常に揺動時における揺動軸の摩擦抵抗を少なくしてスム−ズに揺動
作動せしめることが出来るものである。また、構造が従来例に比して簡単であり、容易に
、しかも安価に製作することが出来るものである。
【図面の簡単な説明】
【００１０】
【図１】本発明の一実施例を示す分解斜視図である。
【図２】本発明の一実施例の使用状態を示す一部を破断した側面図である。
【図３】本発明の一実施例の使用状態を示す一部を破砕した正面図である。
【図４】本発明の他の実施例を示す分解斜視図である。
【図５】本発明の他の実施例の使用状態を示す一部を破断した側面図である。
【図６】本発明の実施例における軸着手段の変形例を示す分解斜視図である。
【発明を実施するための形態】
【００１１】
以下に、本発明を実施するための形態を図面に示す一実施例に基づいて詳細に説明する
。
【００１２】
図１〜図３は本発明の一実施例を示すもので、同図中、１ａは後記する振子体７ａを吊
下げ状に軸着せしめるフレ−ム、２ａは該フレ−ム１ａを構成する方形体状の中空基体、
３は該基体２ａ上の中央部に配設された駆動コイルで、該駆動コイル３は基体２ａ内に内
蔵された駆動回路基盤（図示略）を介して蓄電池や外部電源により通電して励磁せしめる
ものとされている。４ａは上記基体２ａの一側に立設された所要の高さを有する直方体状
の受部材用支柱、５ａは該支柱４ａの上端部にホルダ−６を介して下向き状に横設された
棒状の永久磁石製受部材である。
【００１３】
７ａは所要の長さを備えた振子体、８ａは該振子体７ａの上端部に横設された方形なナ
イフエッジ状の強磁性揺動軸で、該揺動軸８ａは前記受部材５ａの長手方向に沿ってその
下面に線接触状に磁着し、吊下げ状に軸支するものとされている。９は前記駆動コイル３
に対向すべく上記振子体７ａの下端部に円形状ホルダ−１０ａを介して取付けられた円形
状の永久磁石、１１は振子体７ａの一側に取付けられた表示体用取付け具である。
その他、１２は広告体などの表示体を示す。  
【００１４】
次に、上述のごとく構成された実施例の作動について説明する。
先ず、図２に示すように、揺動軸８ａを受部材５ａの長手方向に沿ってその下面に線接
触状に磁着して振子体７ａを吊下げ状に軸支せしめる。ついで、振子体７ａに取付け具１
１を介して所要の表示体１２を取付けたのち、駆動コイル３に通電して励磁せしめつつ、
永久磁石９との電磁力により吊下げ状に軸支する振子体７ａを所要の振幅でもって慣性的
に揺動作動せしめ、これに連動して表示体１２を図３に矢印で示す方向に同期揺動せしめ
るものである。    
【００１５】
このさい、ナイフエッジ状とされた強磁性揺動軸８ａを永久磁石製受部材５ａの長手方
向に沿ってその下面に線接触状に磁着して振子体７ａを吊下げ状に軸支せしめるものであ
るから、揺動時における揺動軸８ａの摩擦抵抗を非常に少くせしめることが出来るもので
あって、ひいては、常に振子体７ａをスム−ズに揺動せしめることが出来るものである。
また、振子体７ａは揺動軸８ａを受部材５ａに磁着せしめるという簡単な操作でもって容
易に取付け、また取外すことが出来るのみならず、構造が簡単であり、容易に、しかも安
価に製作することが出来るものである。    
【００１６】
図４及び図５は他の実施例を示すもので、フレ−ム１ｂは上面が傾斜面状とされた方形
体状の中空基体２ｂ一側に同幅状の受部材用支柱４ｂが立設された点、支柱４ｂの上端部
に開口部１３を介して端子１４付き受部材５ｂが上向き状に配設された点、長尺状とされ
た振子体７ｂの上部にホルダ−１５を介して下向きコ字形状とされたナイフエッジ状の揺
動軸８ｂが下向き状に取付けられると共に、該振子体７ｂの下端部に帯状ホルダ−１０ｂを介して３個の永久磁石９が所定間隔をおいて取付けられた点が上記実施例と相違し、他の部分は同一であり、同一符号は同一部分を示す。  
【００１７】
そして、上述のごとく構成された実施例は、図５に示すように、揺動軸８ｂを開口部１
３より支柱４ｂ内に挿入せしめ、受部材５ｂの長手方向に沿ってその上面に線接触状に磁
着し、振子体７ｂを片持支持状に軸支せしめる。次いで、振子体７ｂに所要の表示体１２
を取付けたのち、駆動コイル３に通電して励磁せしめつつ、永久磁石９との電磁力により
片持支持状に軸支する振子体７ｂを所要の振幅幅でもって慣性的に揺動作動せしめ、表示
体１２を同期に揺動せしめるものである。      
【００１８】
このさい、強磁性揺動軸８ｂは永久磁石製受部材５ｂ上に線接触状に磁着して振子体７
ｂを片持支持状に軸支せしめるものであるから、上記実施例と同様に、揺動時における揺
動軸８ｂの摩擦抵抗を非常に少くせしめて非常にスム−ズに揺動作動せしめることが出来
るのみならず、振子体７ｂの取付け・取外し作業を非常に簡便に行うことが出来るもので
ある。また、振子体７ｂにはホルダ−１０ｂを介して３個の永久磁石９が帯状に取付けら
れているから、駆動コイル３の励磁と相まって永久磁石９の電磁力を揺動方向に沿って帯
状に生起せしめることが出来るものであって、ひいては、振子体７ｂの振幅を非常に大に
せしめることが出来るものである。
なお、受部材５ｂには端子１４が付設されているから、受部材５ｂを介して通電せしめ
つつ、表示体１２に所要のＬＥＤ素子等の発光体を発光せしめてもよいものである。  
【００１９】
なお、上記実施例において、強磁性揺動軸８ａ・８ｂはナイフエッジ状とされているが
、これに限定されるものではなく、例えば、図６に示すように、揺動軸８ｃを略偏平丸棒
状に形成せしめると共に、これに対応すべく受部材５ｃを若干広幅状に形成せしめ、線接
触状に磁着して軸支せしめるべく構成せしめてもよいものであり、他の実施例においても
同様である。また、上記実施例中、揺動軸８ｂを受部材５ｂ上に磁着して振子体７ｂを片
持支持状に軸支するものとされているが、これに限定されるものでなく、受部材５ｂを所
定間隔をおいて並設し、これに揺動軸８ｂを磁着せしめて振子体７ｂを両端支持状に軸支
せしめてもよいものである。
【符号の説明】
【００２０】
１ａ・１ｂ  フレ−ム
３  駆動コイル
５ａ・５ｂ・５ｃ  受部材  
７ａ・７ｂ    振子体  
８ａ・８ｂ・８ｃ  振動軸  
９  永久磁石
１２  表示体
【図１】
2012234055.tif 000003
【図２】
2012234055.tif 000004
【図３】
2012234055.tif 000005
【図４】
2012234055.tif 000006
【図５】
2012234055.tif 000007
【図６】
2012234055.tif 000008